(57)【要約】【課題】  路上や道路脇に設けられたゴミ置き場の傍らに設置し、ゴミ等の上に被せて使用するネットを簡単に取り出ことができると共に、ゴミ等を搬出した後の不使用時には見栄え良く簡単に収納・保管できるゴミ飛散防止用ネットの収納具を提供する。【解決手段】  地表面から立ち上がる中空筒体２の側壁に開口部２２を設け、該開口部２２から中空筒体２内にネット１を出し入れ可能に収納すると共に、中空筒体２の上部から該筒体２内に引き込んだ紐３の一端部を前記ネット１に接続し、該紐３の他端部を引っ張ることによってネット１を中空筒体２内に引き込んで収納する。【選択図】  図１
2005192455.tif 000002
【特許請求の範囲】
【請求項１】
ゴミ置き場等に仮置きされたゴミ等の上に被せ、ゴミ等が飛散するのを防止するゴミ飛散防止用ネットの収納具であって、地表面から立ち上がる中空筒体の側壁に開口部を設け、該開口部から中空筒体内にネットを出し入れ可能に収納すると共に、中空筒体の上部から該筒体内に引き込んだ紐の一端部を前記ネットに接続し、該紐の他端部を引っ張ることによってネットを中空筒体内に引き込んで収納することを特徴とするゴミ飛散防止用ネットの収納具。
【請求項２】
中空筒体の開口部に開閉可能に蓋体を設けたことを特徴とする請求項１記載のゴミ飛散防止用ネットの収納具。
【請求項３】
中空筒体は円筒状であって、該中空筒体の外周側をこの筒体よりも若干径が大きい円筒状カバー体で覆い、該カバー体の側壁に設けた貫通孔を前記中空筒体の開口部と合致させて連通させることができると共に、該カバー体を軸中心に回転させて貫通孔の位置をずらせたとき中空筒体の開口部がカバー体で塞がれることを特徴とする請求項１記載のゴミ飛散防止用ネットの収納具。
【発明の詳細な説明】
【技術分野】
【０００１】
本発明は、ゴミ置き場等に仮置きされているゴミ等の上に被せることによって、カラスや野犬、野良猫等の小動物によって生ゴミが撒き散らされたり、ゴミ等が風に吹き飛ばされるのを防止するゴミ飛散防止用ネットの収納具に関し、詳しくはゴミ等の上に被せて使用する際にネットを簡単に取り出ことができ、またゴミ等を搬出した後の不使用時には見栄え良く簡単に収納・保管できるゴミ飛散防止用ネットの収納具に関する。
【背景技術】
【０００２】
一般に、家庭や飲食店等で発生した生ゴミ等は、ビニール袋や紙袋等に梱包されてゴミ置き場に持ち込まれ、ゴミ収集車が来るまでの間一時的にゴミ置き場等に仮置きされる。このようにしてゴミ置き場に持ち込まれた生ゴミ等は、カラスや野犬、野良猫等によって食い荒らされて飛散したり、強風に煽られてゴミ袋ごと吹き飛ばされることがあるため、金網等で包囲された収納庫に保管したり、ゴミ袋の上からネットを被せることが行われている。
【０００３】
後者のネットを使用する場合には、その一例として、ネットの四周縁部に縦横に伸縮自在な枠を取り付けと共に、枠の中央部や四隅に蛇腹ジョイントを設けて折り畳み可能としたカラス除去用ネット補助具が提案されている（特許文献１参照）。
【０００４】
【特許文献１】実用新案登録第３０８４８８５号公報
【発明の開示】
【発明が解決しようとする課題】
【０００５】
しかし、特許文献１記載のものは、不使用時にネットをコンパクトに折り畳むことができても、ネットを折り畳んだ状態のままで放置して置くわけにはいかない。特に、通行人が頻繁に通る路上や道路脇にゴミ置き場が設置されている場合には、見栄えが悪く、景観を損なうという問題がある。更には、折り畳まれたネットを広げて使用する時や、使用後に折り畳む作業に手間がかかるという煩わしさもあった。
【０００６】
そこで本発明は、ゴミ等の上に被せて使用する時にネットを簡単に取り出ことができ、またゴミ等が搬出された後の不使用時には見栄え良く簡単に収納・保管できるゴミ飛散防止用ネットの収納具を提供することを目的としている。
【課題を解決するための手段】
【０００７】
上記目的を達成するため、本発明のゴミ飛散防止用ネットの収納具は、第１の構成として、地表面から立ち上がる中空筒体の側壁に開口部を設け、該開口部から中空筒体内にネットを出し入れ可能に収納すると共に、中空筒体の上部から筒体内に引き込んだ紐の一端部を前記ネットに接続し、該紐の他端部を引っ張ることによってネットを筒体内に引き込んで収納できることを特徴としている。
【０００８】
本発明の第２のゴミ飛散防止用ネットの収納具の構成は、中空筒体の開口部に開閉可能に蓋体を設けたことを特徴としている。
【０００９】
本発明のゴミ飛散防止用ネットの収納具の第３の構成は、中空筒体は円筒状であって、該中空筒体の外周側をこの筒体よりも若干径が大きい円筒状カバー体で覆い、該カバー体の側壁に設けた貫通孔を前記中空筒体の開口部と合致させて連通させることができると共に、該カバー体を軸中心に回転させて貫通孔の位置をずらせたとき中空筒体の開口部がカバー体で塞がれることを特徴としている。
【発明の効果】
【００１０】
本発明のゴミ飛散防止用ネットの収納具は、地表面から立ち上がる中空筒体の側壁に開口部を設け、該開口部から筒体内にネットを出し入れ可能に収納すると共に、中空筒体の上部から筒体内に引き込んだ紐の一端部を前記ネットに接続したので、前記紐の他端部を引っ張るだけでネットを筒体内に簡単に引き込むことができ、ネットを見栄えよく中空筒体内に収納・保管することができる。また、ゴミ等の上にネットを被せる際には、中空筒体の開口部からネットを簡単に取り出すことができ、この引き出したネットを広げながらゴミ等の上に被せてゴミ等の飛散を確実に防止することができる。
【発明を実施するための最良の形態】
【００１１】
図１は本発明の第１形態例を示すものであって、中空筒体から引き出したネットでゴミ等の上を被った使用状態を示す斜視図、図２はネットを中空筒体内に収納・保管した状態を示す斜視図、図３はネットを中空筒体内に収納・保管した状態を示す縦断面図である。本発明のゴミ飛散防止用ネットの収納具は路上や道路脇に設けられたゴミ置き場の傍らに設置されるものであって、ネット１を出し入れ可能に収納する中空筒体２は地表面から垂直に立ち上げられている。即ち、中空筒体２の下端部には支持板２１が固定されており、該支持板２１がアンカーボルト等によって路面に固定され、これによって中空筒体２が垂直状態に設置されている。
【００１２】
中空筒体２の側壁には開口部２２が設けられており、該開口部２２から中空筒体２内にネット１が出し入れ可能に収納されている。中空筒体２の上部には筒壁を貫通する通孔２３が設けられており、該通孔２３に紐３が挿通されている。前記紐３の一端部はネット１と接続すると共に、その他端部が中空筒体２の外側に垂らされており、該紐３を外側から引っ張ることによってネット１を中空筒体２内に引き込んで収納・保管できるようになっている。尚、図面には中空筒体２の開口上端部がキヤップ２４によって閉塞されたものを例示したが、このキヤップ２４は設けなくてもよく、ネット１に付着した生ゴミ等を中空筒体２の開口上端部から浸入する雨水等によって除去するようにしてもよい。また、ネット１に付着した生ゴミ等から異臭を発生することがあるため、開口した中空筒体２の上端部から臭気を排出させたり、中空筒体２やカバー体４の適所に換気孔を設けておいて臭気を排出させるようにしてもよい。
【００１３】
前記中空筒体２としては、塩ビパイプ、鋼管その他適宜の素材からなる円筒状のパイプが使用でき、該中空筒体２の外周側はこの筒体２よりも若干径が大きい円筒状カバー体４で覆われている。カバー体４は前記中空筒体２と同様に、塩ビパイプ、鋼管その他適宜の素材からなる円筒状のパイプが使用でき、前記中空筒体２に対して軸中心に回転できるようになっている。カバー体４の側壁には中空筒体２の開口部２２と対応する位置に、該開口部２２とほぼ相似形状の貫通孔４１が設けられている。このため、カバー体４の外壁に設けた取手４２を手で掴んで軸中心に回転させたとき、前記貫通孔４１が中空筒体２の開口部２２と合致して連通したり、中空筒体２の開口部２２がカバー体４で塞がれるようになっている。また、カバー体４の外壁には、中空筒体２の外側に垂らされた紐３を巻き取るための巻取部４３が設けられている。
【００１４】
本発明のゴミ飛散防止用ネットの収納具は以上の構成からなるものであって、ゴミ置き場に持ち込まれたゴミ等Ｇをネット1で被う際には、カバー体４の巻取部４３に巻き付けられた紐３の一端部を緩める。そこで、カバー体４を軸中心に回転させ、該カバー体４の貫通孔４１を中空筒体２の開口部２２と合致させて筒体２内からネット１を引き出しつつ広げてゴミ等Ｇの上に被せる。このような簡単な操作を行うだけでゴミ清掃車が来るまでの間、ゴミ置き場等に仮置きされたゴミ等Ｇの飛散を確実に防止することができる。
【００１５】
一方、ゴミ置き場等に仮置きされたゴミ等Ｇが清掃車で搬出されて不使用となったとき、中空筒体２内にネット１を収納する。このとき、中空筒体２の外側に垂らされている紐３の一端部を掴んで引っ張るだけでネット１を筒体２内に簡単に引き込むことができ、ネット１を見栄えよく中空筒体２内に収納・保管することができる。
【００１６】
以上の如く、本発明のゴミ飛散防止用ネットの収納具を使用すると、街の景観を損なうこともなく、見栄えよくネットを収納・保管できるため、通行人が頻繁に通る路上や道路脇にゴミ置き場を設置する際に好適に使用できる。また、通行人が頻繁に通る路上や道路脇に本発明の収納具を設置する場合には、中空筒体２やカバー体４にチラシやビラ等をバンド等で固定して広告塔として利用することもできるという、副次的効果も期待できる。
【００１７】
尚、前記形態例では、中空筒体の外周側を円筒状カバー体で覆い、該カバー体を軸中心に回転させることによって、中空筒体の開口部を開閉するものを例示したが、本発明のこの形態に限定されない。中空筒体の外周側を円筒状カバー体で覆うことなく、中空筒体の開口部にドアを取り付け、該ドアで開口部を開閉してもよい。この場合にも、前記形態例と同様に、中空筒体の開口部を開閉して筒体内からネットを適宜出し入れすることができる。
【産業上の利用可能性】
【００１８】
本発明は、路上や道路脇に設けられたゴミ置き場の傍らに設置して使用でき、簡単な操作によって、ネットを見栄えよく中空筒体内に収納・保管することができると共に、ネットを簡単に取り出すことができる。
【図面の簡単な説明】
【００１９】
【図１】中空筒体から引き出したネットでゴミ等の上を被った使用状態を示す第１形態例の斜視図である。
【図２】ネットを中空筒体内に収納・保管した状態を示す斜視図である。
【図３】ネットを中空筒体内に収納・保管した状態を示す縦断面図である。
【符号の説明】
【００２０】
１…ネット、２…中空筒体、２２…開口部、３…紐、４…カバー体、４１…貫通孔
Ｇ…ゴミ等
【図１】
2005192455.tif 000003
【図２】
2005192455.tif 000004
【図３】
2005192455.tif 000005